(57)【要約】      （修正有）【課題】長期に渡って劣化が無く、強度も維持出来、更には成形加工自体が容易であるため従来のＪ形、Ｆ形及びＳ形の桟瓦、軒瓦、袖瓦、袖角瓦、隅瓦、冠瓦、のし瓦、棟瓦、掛瓦、巴瓦、鬼瓦等種々の瓦の形状やデザインに合わせて形成出来、従来の屋根構造を損なわず、修繕維持管理が簡単に出来、更に軽量のため地震が起こっても建造物の倒壊を防止出来る耐候性、耐熱性、耐寒性、耐炎性、耐水性、絶縁性等に優れた屋根瓦を提供する。【解決手段】合成ゴム素材のうちエチレンプロピレンゴム材料を用いて成形加工した屋根瓦とする。【選択図】図１
0003206084.tif 000002
【実用新案登録請求の範囲】
【請求項１】
合成ゴム系材料を主成分とする屋根瓦（１）。
【請求項２】
前記合成ゴム系材料が、エチレンプロピレンゴムであることを特徴とする請求項１に記載の屋根瓦（１）。
【請求項３】
日本工業規格のＪ形、Ｆ形及びＳ形の屋根瓦（１）のうち桟瓦（１ａ）が尻部（４）の裏面（３）に桟木へ係止する引っ掛け爪（６）と表面（２）へ貫通した釘穴（７）が設けられ、桟瓦（１ａ）同士を係止するための係止凸部（１３）が側面端部に設けられ頭部（５）にも桟瓦（１ａ）同士を係止するための複数の係止凸部（１１ａ）、（１１ｂ）が設けられており、一方の表面（２）の尻部（４）に前記係止凸部（１１ａ）、（１１ｂ）が嵌合するための係止凹部（１０ａ）、（１０ｂ）が設けられ、更に前記側面端部に設けられた係止凸部（１３）が嵌合するための係止凹部（１２）が側面端部に設けられていることを特徴とする請求項１又は２に記載の屋根瓦（１）。
【請求項４】
屋根瓦（１）の種類が桟瓦、軒瓦、袖瓦、袖角瓦、隅瓦、冠瓦、のし瓦、棟瓦、掛瓦、巴瓦又は鬼瓦であることを特徴とする請求項１又は２に記載の屋根瓦（１）。
【考案の詳細な説明】
【技術分野】
【０００１】  本考案の屋根瓦は、耐候性、耐熱性、耐寒性、耐炎性、耐水性、絶縁性に優れ更に軽量な合成ゴム系材料を主成分とするゴム製の屋根瓦に関するものである。
【背景技術】
【０００２】  従来、傾斜した屋根構造を有する建造物においては、石や粘土を焼結した瓦等で葺く事が行われて来たが、石や瓦に関しては非常に重い素材であるため金属板、スレート等の軽量な素材を用いて屋根を葺く事が行われている。【０００３】  一方で、屋根の設計上荷重に耐えうるものであっても、地震に際しては破損して家屋の倒壊の原因となり、また落下した際には付近の人や物にも大きな被害を及ぼすため近年先に述べた素材以外にも樹脂材料からなる屋根瓦も用いられている。特許文献１では、樹脂瓦の表面に厚さ５μｍ以上であってポリシロキサン成分を５０ｗｔ％以上含有するシリコン樹脂層を形成した瓦が記載されている。また特許文献２では、ポリオレフィン・ポリマーと塩素含有ポリマーとの組合せで構成された屋根瓦が記載されている。特許文献３では複数の瓦が連設したように繊維強化プラスチックいわゆるＦＲＰで一体成形した屋根材が記載されている。特許文献４ではポリプロピレン系樹脂材料からなる樹脂層により長繊維からなる繊維層を両側から挟んで一体形成されたシート体を用いた屋根材が記載されている。特許文献５では環境に悪い廃タイヤを再製してゴム瓦を作製し屋根瓦とする内容が記載されている。
【先行技術文献】
【０００４】
【特許文献１】特開２００２−２７６０８２号公報
【特許文献２】特表２００３−５２７５０４号
【特許文献３】特開２００６−１７７０７８号公報
【特許文献４】特開２０１２−４６９９９号公報
【特許文献５】実用新案登録第３１１６８５３号
【考案の概要】
【考案が解決しようとする課題】
【０００５】  先述した特許文献に記載されているように、それぞれ樹脂材料を用いる事で軽量化が図られているものの、材料を混合したり、積層したりと製造工程が大変煩雑になるという課題があった。又これら樹脂瓦の原料樹脂は紫外線や酸性雨により分解しやすく、長期の使用中に変色したり脆くなりひび等を生じるという欠点があった。なお廃タイヤを再製してゴム瓦とするには、タイヤ原料のゴムが天然ゴム及び／又はスチレンブタジエンゴムから形成されるものがほとんどであるため、屋根瓦として求められる条件の耐候性、耐熱性、耐寒性、耐炎性を満たすものでは無くしかも実際に再利用するためにはペレット状に加工したりと膨大な費用がかかる欠点があった。【０００６】  そこで本考案は、エチレンプロピレンゴム材料を用いて耐候性、耐熱性、耐寒性、耐炎性、耐水性、絶縁性に優れ、軽量で生産性の高い屋根瓦を提供することを目的とするものである。
【課題を解決するための手段】
【０００７】  上記課題を解決するために本考案は、合成ゴム系材料を主成分とする屋根瓦であり、更に該合成ゴム系材料がエチレンプロピレンゴムであることを特徴とする。【０００８】  本考案でいう屋根瓦は、そのほとんどが日本工業規格のＪ形、Ｆ形及びＳ形における桟瓦が占めるがもちろん軒瓦、袖瓦、袖角瓦、隅瓦、冠瓦、のし瓦、棟瓦、掛瓦、巴瓦又は鬼瓦であっても良い。
【考案の効果】
【０００９】  本考案は、耐候性、耐熱性、耐寒性、耐炎性、耐水性、絶縁性等の種々の特性に優れたエチレンプロピレンゴムを主原料として成形加工された屋根瓦であるので、長期に渡って劣化することなく、強度等を維持出来る。【００１０】  又、エチレンプロピレンゴムは成形加工が容易であるため、従来の屋根瓦の形状とほぼ同等のものに形成する事が出来るため、従来の屋根構造を損なうことなく、修繕管理のしやすい優れたものとなる。【００１１】  もちろんエチレンプロピレンゴムの比重は約０．８６と大変軽く、また種々の色に着色も出来るため、建物への負担が少なく例えば地震発生時においての建造物の倒壊を防止出来る優れたものであり、様々な色でデザイン性にも富んだものである。
【図面の簡単な説明】
【００１２】
【図１】本考案に係る一実施形態に関する外観斜視図である。
【図２】本考案の図１の裏面からの外観斜視図である。
【図３】本考案に係る一実施形態に関する外観斜視図である。
【図４】本考案の図３の裏面からの外観斜視図である。
【図５】図１の屋根瓦の連設形状を示す外観斜視図である。
【図６】図３の屋根瓦の連設形状を示す外観斜視図である。
【考案を実施するための形態】
【００１３】  以下、本考案に係る実施形態について説明するが、以下に説明する実施形態は本考案を実施するにあたり好ましい具体例であるため、技術的に種々の限定がなされているが、本考案は以下の説明において特に本考案を限定する旨明記されていない限り、これらの形態に限定されるものではない。
【００１４】  本考案における屋根瓦の大きさ、種類等は日本工業規格に準じたものが好ましいが、デザイン、製造方法等は特に限定されない。
【００１５】  本考案でいうエチレンプロピレンゴムは、エチレンとプロピレンの共重合によって得られる合成ゴムの一種であり、耐候性、耐熱性、耐寒性、耐炎性、耐水性、絶縁性などに優れており、道路や橋梁などの屋外で使用される防振材に用いられ、発色性が良く人畜に無害とされ遊具などにも使用されるものが用いられる。以下、実施例と図に基づき説明する。
【実施例】
【００１６】  以下、本考案の一実施例を図１、図２、図３、図４、図５及び図６で説明するがこれによって本考案は何ら限定されるものではない。【００１７】  図１は本考案の屋根瓦（１）のうち日本工業規格のＪ形の桟瓦（１ａ）の表面（２）を斜視方向から見た一例の外観斜視図である。図２は図１の桟瓦（１ａ）を裏面（３）から見た外観斜視図である。【００１８】  基本的に屋根瓦（１）は単体で成形加工されている。そのために外観上従来のＪ形の桟瓦（１ａ）とほぼ同じデザインに仕上げられる。【００１９】  図２の裏面（３）から見ると波形の本体の尻部（４）に桟木へ係止する引っ掛け爪（６）と表面（２）へ貫通した釘穴（７）が設けられているのがわかる。この釘穴（７）は引っ掛け爪（６）で桟木へ固定した後、表面（２）から桟木へ釘を打ち込んで桟瓦（１ａ）を固定するためのものである。なお本考案のものは更に桟瓦（１ａ）同士を係止するための２個の係止凸部（１１ａ）、（１１ｂ）が図２の裏面（３）で示したように頭部（３）に設けられており、図１の表面（２）の尻部（４）に前記係止凸部（１１ａ）、（１１ｂ）が嵌合するために係止凹部（１０ａ）、（１０ｂ）が設けられており、これら係止凸部（１１ａ）、（１１ｂ）と係止凹部（１０ａ）、（１０ｂ）とが嵌合して桟瓦（１ａ）同士を連結係止していく。【００２０】  更に図２で示す側面端部に設けた係止凸部（１３）と図１で示す側面端部に設けた係止凹部（１２）とが嵌合して前述の２個の係止部と同様に嵌合して桟瓦（１ａ）同士を連結係止していくように配列される。【００２１】  もちろんこれら桟瓦（１ａ）はエチレンプロピレンゴムから成形されて構成されているので、屋根の施工時や修繕管理の際にも、軽くて施工しやすく万が一どれかが破損しても軽くて施工しやすく取り替えの作業性も従来の粘土等を焼結した屋根瓦よりも耐衝撃性を有するため、長期間屋外で使用しても強度も維持出来る。【００２２】  図３及び図４は本考案の図１及び図２で説明した日本工業規格のＪ形の桟瓦（１ａ）の別のタイプであるＦ形と言われる平板瓦で説明を示したものである。【００２３】  こちらも単体でエチレンプロピレンゴムから成形加工され外観上がＦ形の桟瓦（１ａ）として仕上げられる。【００２４】  図４の裏面（３）から見ると平らな形の本体の尻部（４）に桟木へ係止する引っ掛け爪（６）と表面（２）へ貫通した釘穴（７）が設けられているのがわかる。この釘穴（７）は引っ掛け爪（６）で桟木へ固定した後、表面（２）から桟木へ釘を打ち込んで桟瓦（１ａ）を固定するためのものである。なお本考案のものは更に桟瓦（１ａ）同士を係止するための２個の係止凸部（１１ａ）、（１１ｂ）が図４の裏面（３）で示したように頭部（３）に設けられており、図３の表面（２）の尻部（４）に前記係止凸部（１１ａ）、（１１ｂ）が嵌合するために係止凹部（１０ａ）、（１０ｂ）が設けられており、これら係止凸部（１１ａ）、（１１ｂ）と係止凹部（１０ａ）、（１０ｂ）とが嵌合して桟瓦（１ａ）同士を連結係止していく。【００２５】  更に図４で示す側面端部に設けた係止凸部（１３）と図３で示す側面端部に設けた係止凹部（１２）とが嵌合して前述の２個の係止部と同様に嵌合し���桟瓦（１ａ）同士を連結係止していくように配列される。【００２６】  図５は、図１及び図２で説明したＪ形の桟瓦（１ａ）が実際に屋根上で複数個連結係止された状態を示した外観斜視図である。【００２７】  又、図６は、図３及び図４で説明したＦ形の桟瓦（１ａ）が前述の図５同様、複数個連結係止された状態を示した外観斜視図である。【００２８】  なお、本考案の屋根瓦は通常例えば桟瓦、軒瓦、袖瓦、袖角瓦、隅瓦、冠瓦、のし瓦、棟瓦、掛瓦、巴瓦、鬼瓦等の形状ごとにプレス成形であればその形状の型体である上型、下型を製造しておき、シート状のエチレンプロピレンゴムを挟むように上型、下型を重ねて、例えば最適な成形温度が１００℃から１８０℃となるように加熱してプレス成形して製造される。【００２９】  一方で、エチレンプロピレンゴム自体をペレット状としたものを射出成形機を用いていわゆる樹脂と同様のインジェクション成形によって成形製造しても良い。
【産業上の利用の可能性】
【００３０】  本考案の屋根瓦は、耐候性、耐熱性、耐寒性、耐炎性、耐水性、絶縁性に優れたエチレンプロピレンゴムを原材料として成形加工された屋根瓦であるので、長期に渡っての劣化がなく、強度も維持出来、更に成形加工が容易であるため、従来のＪ形、Ｆ形及びＳ形の各桟瓦、軒瓦、袖瓦、袖角瓦、隅瓦、冠瓦、のし瓦、棟瓦、掛瓦、巴瓦、鬼瓦等どの形にも成形することが出来るため、従来の屋根構造を損なわず修繕維持管理が出来、更にゴムなので軽量のため万が一地震等が起こっても建造物の倒壊を防止出来る優れた屋根瓦として利用出来る。
【符号の説明】
【００３１】１    屋根瓦
１ａ  桟瓦
２    表面
３    裏面
４    尻部
５    頭部
６    引っ掛け爪
７    釘穴
１０ａ、１０ｂ    係止凹部
１１ａ、１１ｂ    係止凸部
１２  係止凹部
１３  係止凸部
【図１】
0003206084.tif 000003
【図２】
0003206084.tif 000004
【図３】
0003206084.tif 000005
【図４】
0003206084.tif 000006
【図５】
0003206084.tif 000007
【図６】
0003206084.tif 000008